(57)【要約】【課題】枠体とカバー部材の係合を強固に行えて容易に外れないようにした。【解決手段】表示装置１は、表示パネルを嵌合するベゼル３とリアカバーとを離脱可能に係合した。ベゼル３とリアカバーの上辺部と左右の側辺部に第一係合部６と第二係合部７を交互に配設した。第一係合部６において、べゼル３の上片３ｂから表示パネルの背面側に受け部３ａを垂下させ、受け部３ａに第一係合孔９を形成した。第一係合孔９の上部に爪部１０を設けた。第一係合孔９に嵌合可能なリアカバーの第一リブに係合穴を形成して爪部１０を係合可能とした。第二係合部７において、受け部３ａの背面側に向けて溝部１９を形成し、リアカバーに設けた第二リブを嵌合可能に形成した。【選択図】図４
2018116949.tif 000002
【特許請求の範囲】
【請求項１】
枠体とカバー部材とを離脱可能に係合した筐体であって、
前記枠体に設けられた第一係合孔と、
前記カバー部材に設けられていて前記第一係合孔に挿入された第一リブと、を備えた第一係合部を有すると共に、
前記枠体に設けた第二係合孔と、
前記カバー部材に設けられていて前記第二係合孔に係合された第二リブと、を備えた第二係合部を有しており、
前記第二係合部によって前記第一リブの変位を規制するようにしたことを特徴とする筐体。
【請求項２】
前記第一係合部において、前記第一係合孔に設けられた爪部と、前記第一リブに形成されていて前記爪部が係合可能な係合穴とを備えた請求項１に記載された筐体。
【請求項３】
前記第二係合孔は前記枠体に形成した第二突起部と突片により形成される溝部であり、前記枠体とカバー部材を係合させた状態で前記第二リブは前記溝部に嵌合している請求項１または２に記載された筐体。
【請求項４】
前記第一係合部と第二係合部は、前記枠体とカバー部材の上辺部と左右の側辺部とに所定間隔を開けて交互に配列形成されている請求項１から３のいずれか１項に記載された筐体。
【請求項５】
請求項１から４のいずれか１項に記載された前記筐体は、前記枠体に嵌合されて前面に表示画面を位置させる表示パネルを備え、前記枠体の背面に前記カバー部材を係合させていることを特徴とする表示装置の筐体。
【請求項６】
枠体とカバー部材とを有する筐体の組み立て方法であって、  
前記枠体に形成された第一係合孔に前記カバー部材に設けられた第一リブを挿入して係合すると共に、
前記枠体に設けた第二係合孔に前記カバー部材に設けられた第二リブを係合することで、前記第一リブの変位を規制するようにしたことを特徴とする筐体の組み立て方法。
【発明の詳細な説明】
【技術分野】
【０００１】
本発明は、例えば表示パネル等を収納する筐体と表示装置の筐体、そして筐体の組み立て方法に関する。
【背景技術】
【０００２】
従来、液晶表示パネル等を備えた表示装置では表示パネルの薄型化と大型化が進んでいる。例えば特許文献１に記載された表示パネルは薄型で曲面化された表示パネルが提案されている。一方、表示パネルを筐体に収納した薄型の表示装置では、筐体として表示パネルの表示画面を前面に露出させると共に四周の縁部を囲うベゼルと表示パネルの裏面を覆って枠部に係合させるリアカバーとを備えている。
従来、表示パネルの四周の縁部に対向する側面側にベゼルとリアカバーの係合部を配設していたが、近年では表示パネルの薄型化により側面に代えて背面側にベゼルとリアカバーの係合部を設置せざるを得なくなった。
【０００３】
ところで、近年の表示装置は、スタンドを取り外して壁等に設置したアームに取り付けて壁掛け式表示装置として用いる場合がある。そのため、図１０及び図１１に示すように、表示装置１００を持ち運びできるように背面のリアカバー１０４の上部中央に例えば下側に凹溝を形成した凸部からなるハンドル１０１が形成されている。
この表示装置１００は表示パネル１０２の四周縁部をベゼル１０３で覆い、裏面側に設けたリアカバー１０４とベゼル１０３を係合させて筐体としている。
【０００４】
そして、図１２（ａ）に示すように、ベゼル１０３内の表示パネル１０２の裏面側に設けた受け部１０７の嵌合孔１０５の上部に爪部１０５ａを形成した。嵌合孔１０５にリアカバー１０４のリブ１０６を離脱できるように隙間を開けて挿入させ、リブ１０６に形成した係合穴１０６ａに爪部１０５ａを係合させている。この係合構造は背面側に爪部１０５ａとリブ１０６に形成した係合穴１０６ａとの係合構造を設けたため係合力が弱くなっている。
ベゼル１０３の爪部１０５ａとリアカバー１０４のリブ１０６の係合穴１０６ａとの係合構造は、図１０に示すように、リアカバー１０４の上辺部と左右の側辺部とに所定間隔で複数個それぞれ配列されている。
【先行技術文献】
【特許文献】
【０００５】
【特許文献１】特開２０１５−１４８７１６号公報
【発明の概要】
【発明が解決しようとする課題】
【０００６】
ところで、このような表示装置をスタンドから外して壁面のアーム等に壁掛けとして取り付ける場合、リアカバー１０４のハンドル１０１を把持して持ち上げるためハンドル１０１の周辺が変形してしまう。そして、図１２（ｂ）に示すように、爪部１０５ａとリブ１０６の係合穴１０６ａとの係合が外れて嵌合孔１０５からリブ１０６が脱落してしまうことがある。すると、ベゼル１０３の嵌合孔１０５とリアカバー１０４のリブ１０６との係合の離脱は上辺部中央のハンドル１０１に近い位置から上辺の左右方向に広がってリアカバー１０４が背面側に撓み、左右の側辺部の係合まで離脱することになる（図１０の破線参照）。
そのため、図１３に示すように、リアカバー１０４等の背面側の部品が表示装置１００から外れてしまうおそれがあった。その場合、使用者が表示装置１００の筐体内の電気部品等にアクセスすることが可能になり、好ましくなかった。
【０００７】
本発明は、このような課題に鑑みてなされたものであり、着脱可能な枠体とカバー部材の係合を強固に行えて容易に外れないようにした筐体及び表示装置の筐体と筐体の組み立て方法を提供することを目的とする。
【課題を解決するための手段】
【０００８】
本発明による筐体は、枠体とカバー部材とを離脱可能に係合した筐体であって、枠体に設けられた第一係合孔と、カバー部材に設けられていて第一係合孔に挿入された第一リブと、を備えた第一係合部を有すると共に、枠体に設けた第二係合孔と、カバー部材に設けられていて第二係合孔に係合された第二リブと、を備えた第二係合部を有しており、第二係合部によって第一リブの変位を規制するようにしたことを特徴とする。
【０００９】
また、第一係合部において、第一係合孔に設けられた爪部と、第一リブに形成されていて爪部が係合可能な係合穴とを備えることが好ましい。
【００１０】
また、第二係合孔は枠体に形成した第二突起部と突片により形成される溝部であり、枠体とカバー部材を係合させた状態で第二リブは溝部に嵌合していることが好ましい。
【００１１】
また、第一係合部と第二係合部は、枠体とカバー部材の上辺部と左右の側辺部とに所定間隔を開けて交互に配列形成されていることが好ましい。
【００１２】
本発明による表示装置の筐体では、上述した筐体は、枠体に嵌合されて前面に表示画面を位置させる表示パネルを備え、枠体の背面にカバー部材を係合させていることを特徴とする。
【００１３】
本発明による筐体の組み立て方法は、枠体とカバー部材とを有する筐体の組み立て方法であって、枠体に形成された第一係合孔にカバー部材に設けられた第一リブを挿入して係合すると共に、枠体に設けた第二係合孔にカバー部材に設けられた第二リブを挿入して係合することで、第一リブの変位を規制するようにしたことを特徴とする。
【発明の効果】
【００１４】
本発明に係る筐体及び表示装置の筐体によれば、枠体とカバー部材に第一係合部として第一係合孔と第一リブを設けると共に第二係合部として第二係合孔と第二リブとを設けたため係合強度が高く、カバー部材に加わる外力によってカバー部材が変形したとしても第二係合部で第一リブの変位を規制して不用意に枠体との係合が外れることを阻止できる。
【００１５】
本発明による筐体の組み立て方法によれば、枠体に形成した第一係合孔にカバー部材に設けた第一リブを係合させると共に枠体に形成した第二係合孔にカバー部材に設けた第二リブを係合させることで、第二係合部によって第一リブの変位を規制して不用意に外れることを阻止し、枠体とカバー部材を強固に係合させることができる。
【図面の簡単な説明】
【００１６】
【図１】本発明の第一実施形態による表示装置の分解斜視図である。
【図２】実施形態による表示装置のベゼルに表示パネルを嵌合させた状態の背面図である。
【図３】表示装置の上部部分のべゼルとリアカバーの第一係合部とリアカバーのハンドルを示す要部断面図である。
【図４】図２に示すＢ部の拡大斜視図である。
【図５】図４におけるＰ−Ｐ線断面にリアカバーを加えた第一係合部の断面図であり、（ａ）は通常の状態の図、（ｂ）は撓んだ状態の図である。
【図６】図４におけるＱ−Ｑ線断面図である。
【図７】図４におけるＲ−Ｒ線断面にリアカバーを加えた第二係合部の断面図であり、（ａ）は通常の状態の図、（ｂ）は撓んだ状態の図である。
【図８】第一係合部においてリアカバーにヘラを差し込む状態の説明図である。
【図９】本発明の第二実施形態による第一係合部の断面図である。
【図１０】従来の表示装置を背面側から見た斜視図である。
【図１１】図１０に示す表示装置のＳ−Ｓ線断面図である。
【図１２】図１１の第一係合部を示すＡ部拡大断面図であり、（ａ）は通常の状態の図、（ｂ）は撓んだ状態の図である。
【図１３】表示装置の背面からリアカバーが外れる動きを示す説明図である。
【発明を実施するための形態】
【００１７】
以下、本発明の実施形態による表示装置とその組み立て方法を、添付図面を参照して説明する。
図１は、本発明の第一実施形態における表示装置１を示す分解斜視図であり、例えばテレビ画面や電子看板等のディスプレイとして使用するものである。表示装置１は、液晶表示パネル等の薄型の表示パネル２と、表示パネル２の四周の縁部を囲うベゼル（枠体）３と、ベゼル３に係合させて表示パネル２の背面側を被覆する背面被覆部としてのリアカバー４とを備えている。
ベゼル３とリアカバー４とで表示パネル２の筐体Ｋを構成している。表示パネル２の背面（裏面）側には、表示パネル２を駆動制御するメイン基板や電源基板等の高電圧部が収容されている。
【００１８】
ベゼル３は図１１の縦断面図に示すように、その前面側から表示パネル２を嵌め込んで前面下部をベゼル３の下部溝に嵌合させ、表示パネル２の背面側の四周縁部を囲う受け部３ａが形成されている。リアカバー４は例えば下辺の屈曲部がベゼル３の下辺部に嵌合させられ、上辺部と左右両側辺部からなる３辺は後述するように交互に配列された第一係合部６と第二係合部７によってベゼル３に係合されている（図２参照）。
図３は第一係合部６の拡大図を示す要部断面図であり、図１１に示すものと同一構成を有している。図３に示すリアカバー４において、上辺中央部に配列された第一係合部６と第二係合部７の下側に上述した従来技術と同様なハンドル８が形成されている。ハンドル８はリアカバー４の上部に形成した背面側に突出する突起部である。ハンドル８の下側には手を挿入する略四角形箱状の凹陥部８ａが形成され、ハンドル８の突起部の上側には断面略凹曲面状に形成された傾斜面８ｂが形成されている。このハンドル８は図１１に示す従来のハンドル１０１と同一構成である。
【００１９】
図４は図２におけるベゼル３の上側の背面側に形成された受け部３ａのＢ部拡大図であり、第一係合部６と第二係合部７が所定間隔を開けて上辺部と左右の側辺部とに交互に配列形成されている。図４及び図５に示すベゼル３の受け部３ａにおいて、図４ではリアカバー４が省略されており、図５にはリアカバー４が設置されている。
【００２０】
ベゼル３の上片３ｂから表示パネル２の背面側に板状の受け部３ａが下方に垂下しており、受け部３ａには所定長さの第一係合孔９が形成されている。受け部３ａはベゼル３の左右の側面部にも形成されている。受け部３ａにおける第一係合孔９の上部は略Ｌ字状に背面側に屈曲した屈曲部３ｃを形成しており、屈曲部３ｃの先端下面に爪部１０が突出して形成されている。受け部３ａにおいて、第一係合孔９の下部には背面側に突出する第一突起部１１が形成されている。図４に示すように第一係合孔９の上部に設けた一対の爪部１０と第一係合孔９の下部に設けた一対の第一突起部１１は左右方向に互いにずれて設置されている。
【００２１】
一方、図５において、リアカバー４の上部には前面に向けて第一係合孔９に挿入可能な第一リブ１４が突出して形成されている。第一リブ１４には爪部１０が嵌合可能な係合穴１５が形成されている。受け部３ａの第一係合孔９は爪部１０と第一突起部１１との間で第一リブ１４が挿脱可能な幅の空間が形成されている。しかも第一係合孔９の空間は第一リブ１４が挿脱可能なように第一リブ１４の厚みより若干大きい程度の幅に設定され、メンテナンス等のためにリアカバー４を取り外し可能にしなければならない。
これにより、ベゼル３に対してリアカバー４が着脱可能とされている。また、図６における第一係合孔９において、第一突起部１１を設けていない受け部３ａの空間部分は第一突起部１１を設けない分だけ幅広に設定されている。第一係合孔９及び爪部１０と第一リブ１４及びその係合穴１５とは第一係合部６を形成する。
【００２２】
次に図４及び図７により第二係合部７を説明する。
ベゼル３の上片３ｂから垂下する受け部３ａにおいて、第一係合孔９から横にずれた位置では受け部３ａの上下方向の途中部分には背面側に向けて突出する第二突起部１７が形成されている。第二突起部１７の上側に突片１８が形成されており、第二突起部１７と突片１８との間に内奥に底部を有する溝部１９が形成されている。一方、リアカバー４における溝部１９に対向する位置には第二リブ２０が溝部１９に嵌合可能に形成されている。第二リブ２０は溝部１９に隙間なく嵌合していることが好ましい。
図７（ａ）に示す通常の状態で、溝部１９の底部に対して第二リブ２０は若干隙間を開けている。一方、図７（ｂ）に示すハンドル８を手で掴んで持ち上げる際にリアカバー４が変形するが、第二リブ２０が溝部１９に嵌合していてその底部に進入することでリアカバー４の変形が抑制され、リアカバー４がベゼル３から外れることを阻止できる。
なお、溝部１９は底部のない貫通孔でもよく、これらは第二係合孔に含まれる。
【００２３】
そのため、ベゼル３に対して第一係合部６における第一係合孔９にリアカバー４の第一リブ１４を挿入してその係合穴１５に爪部１０を係合させると共に、第二係合部７における受け部３ａに形成した溝部１９にリアカバー４の第二リブ２０を嵌合させる。しかも、第一係合部６と第二係合部７はベゼル３及びリアカバー４の上辺部だけでなく、左右の側辺部にも同様な間隔を開けて交互に配列されている。
第一係合部６の横方向近傍に第二係合部７を設けたため、ハンドル８の把持等による外力がリアカバー４に加わって変形すると、第一係合部６の爪部１０が第一リブ１４の係合穴１５から外れて第一リブ１４が第一係合孔９から外れようとする力が加わる。この場合でも、第二係合部７における溝部１９に嵌合する第二リブ２０によってリアカバー４の上下方向の変形が抑制される。これによって、第一係合部６の爪部１０が第一リブ１４の係合穴１５から離脱することが阻止される。
【００２４】
図４において、第一係合部６の爪部１０と第二係合部７の第二突起部１７との距離Ｌは例えば３２ｍｍであるが、もっと小さくてもよい。この距離Ｌが狭くなると、使用者がハンドル８を掴む等の外力をリアカバー４に加えた時のリアカバー４の変形量がより小さくなる。そのため、第一リブ１４の係合穴１５が爪部１０から外れることを防止できる。
しかも、第一係合部６と第二係合部７はベゼル３に取り付けたリアカバー４によって被覆されており、外部から見えない。そのため、この点でも不用意にリアカバー４が取り外されることを阻止できる。
【００２５】
本実施形態による表示装置１は上述した構成を備えており、次にその作用について説明する。
表示装置１について図１及び図３（及び図１１）に示すように、ベゼル３の前面側下部に表示パネル２の下辺部を嵌合させて表示画面をベゼル３の前面に露出して設置する。表示パネル２の背面側に位置する受け部３ａの更に背面側にリアカバー４を装着する。そして、ベゼル３の上辺部及び左右の側辺部を、交互に配列された第一係合部６及び第二係合部７によってリアカバー４と係合して一体化させている。
【００２６】
この状態で、例えば図示しないスタンドから表示装置１を外して一旦、床面等に載置し、ハンドル８を掴んで持ち上げて壁面等のアームに装着する。このとき、ベゼル３とリアカバー４は第一係合部６及び第二係合部７によって図５（ａ）及び図７（ａ）に示すように係合されている。しかも、第一係合部６と第二係合部７はベゼル３及びリアカバー４の上辺部と左右の側辺部にそれぞれ交互に複数形成されている。
この状態で、表示装置１のベゼル３とリアカバー４の第一係合部６は、図５（ａ）に示すように第一リブ１４が第一係合孔９に挿入されてその係合穴１５に爪部１０が嵌合された状態にある。第二係合部７は、図７（ａ）に示すように第二リブ２０が溝部１９に嵌合されている。
【００２７】
そして、例えば図１０に示すようにスタンドから外した表示装置１が床面等に下向きに載置された状態から、作業者がハンドル８を把持して持ち上げると図３に示すハンドル８の上下面が押されて変形する。しかも、リアカバー４がベゼル３及び表示パネル２から浮き上がる。すると、図５（ｂ）に示すようにハンドル８の直上に位置する直近の第一係合部６及び第二係合部７において、ハンドル８の傾斜面８ｂが下方に変形するため第一リブ１４が第一係合孔９内で移動し、爪部１０に対して第一リブ１４が爪部１０の高さ分下方に変位して係合穴１５が外れそうになる。
【００２８】
これと同時に、第一リブ１４に隣接する第二リブ２０は、リアカバー４の変形により下方に変位しようとしても溝部１９の第二突起部１７によって変位を規制されて底部側に押し込まれる。これによって、第一リブ１４も下方に変位することを抑制されるため、第一リブ１４の係合穴１５が爪部１０から離脱することを阻止される。即ち、第一リブ１４は爪部１０の高さ分移動することを阻止される。そのため、リアカバー４のベゼル３からの離脱を阻止できる。
【００２９】
このようにべゼル３及びリアカバー４の上辺部に交互に設けた第一係合部６と第二係合部７とに関し、リアカバー４における把持されたハンドル８とその近傍部分の変位により第一リブ１４と第二リブ２０が変位しようとするが、第二リブ２０の変位が溝部１９で規制されるため、第一リブ１４の係合穴１５が爪部１０から離脱することを阻止する。例えば従来技術において、ハンドル８を掴んだ際の第一リブ１４の変形量を１ｍｍとすると、本実施形態では第二係合部７を設けたことで第一リブ１４の変形量を例えば０．３ｍｍ以下に抑えることができる。
このように、表示装置１の上辺でのベゼル３とリアカバー４の離脱が抑制されるため、同様にベゼル３とリアカバー４の左右両側辺部においても、第一係合部６と第二係合部７とでリアカバー４がベゼル３から離脱することを阻止できる。そして、ハンドル８を把持して表示装置１を壁面に設けたアームに取り付けて壁掛けすることができる。
【００３０】
また、部品交換や修理やメンテナンス等のために表示装置１からリアカバー４を取り外すには、図８において、ベゼル３の上片３ｂとリアカバー４の上端との突き合わせ部に例えばヘラ２３等を差し込みリアカバー４を下方に押す。これによって、第一リブ１４の係合穴１５をベゼル３の爪部１０から下方に離脱させると共に、第二リブ２０が溝部１９から引き出される。そして、リアカバー４をヘラ２３によって背面側に引き剥がすことで、第一リブ１４が第一係合孔９から外れると共に第二リブ２０が溝部１９から外れる。
こうして、リアカバー４がベゼル３から離脱するため、部品交換やメンテナンス等を行うことができる。
【００３１】
上述のように本実施形態による表示装置１によれば、べゼル３とリアカバー４を係合する第一係合部６に隣接して第二係合部７を設けたため、ハンドル８を把持して持ち上げた際にリアカバー４が変位して爪部１０から係合穴１５が外れる方向に第一リブ１４が変位したとしても、近傍の第二リブ２０が溝部１９で変位を阻止されるため爪部１０と係合穴１５の係合状態を保持できてリアカバー４の離脱を阻止できる。
そのため、外力でリアカバー４が変形したとしても、ベゼル３とリアカバー４の第一係合部６及び第二係合部７が分離することを確実に防止できる。しかも、リアカバー４が不用意に外れて、表示パネル２の背面側に設けた駆動制御用のメイン基板や電源基板等の高電圧部に使用者が接触することを防止できて安全性が高い。
【００３２】
なお、本発明は上述の実施形態による表示装置１に限定されることはなく、本発明の要旨を逸脱しない範囲で適宜の変更や置換等が可能であり、これらはいずれも本発明に含まれる。以下に本発明の他の実施形態や変形例について説明するが、上述した実施形態に用いた部品、部材と同一または同様な部品、部材には同一の符号を用いて説明する。
【００３３】
図９は本発明の第二実施形態による表示装置１の筐体Ｋ１の第一係合部６を示すものである。
本第二実施形態による表示装置１の筐体Ｋ１では、第一係合部６の構成が第一実施形態と相違する。即ち、図９（ａ）において、ベゼル３の上片３ｂから下方に延びている受け部３ａに第一係合孔９が形成されているが、爪部１０は設けられていない。この第一係合孔９には、リアカバー４に設けられた第一リブ１４が挿入されている。第一係合孔９は第一リブ１４の肉厚よりも大きな上下方向の幅を有している。
また、本第二実施形態では、図７に示すものと同一の構成を備えた第二係合部７を有している。即ち、第二係合部７は、ベゼル３に設けた第二係合孔としての溝部１９と、リアカバー４に設けられていて溝部１９に係合可能な第二リブ２０とを有している。溝部１９は底部のない貫通孔であってもよい。
【００３４】
この構成を採用した第二実施形態による表示装置１の筐体Ｋ１では、図９（ａ）に示す通常の状態で受け部３ａの第一係合孔９内にリアカバー４に形成した第一リブ１４が挿入されている。そして、図９（ｂ）に示すようにリアカバー４のハンドル８を持ち上げた状態に変形すると、第一係合部６の第一リブ１４は第一係合孔９の上面から下方に変位する。一方、第二係合部７では、第一実施形態と同様に、図７（ｂ）に示すように受け部３ａに設けた溝部１９に嵌合された第二リブ２０は、リアカバー４の変位により下方に変位しようとしても溝部１９によって変位を規制されて底部側に押し込まれる。
これによって、第一リブ１４も第一係合孔９内で下方にわずかに変位するが、第一係合孔９から外れることを抑制され、リアカバー４のベゼル３からの離脱を阻止できる。そのため、ハンドル８を把持してリアカバー４を持ち上げて変位させたとしても第一係合部６及び第二係合部７を係合状態を維持できる。
【００３５】
上述した各実施形態では、ベゼル３とリアカバー４の上辺部と左右の側辺部に第一係合部６と第二係合部７を交互に配設したが、必ずしも交互に配設する必要はない。少なくとも上辺部中央に設けた第一係合部６の左右両側または一方に第二係合部７を設置すればよい。これにより、ハンドル８の操作でリアカバー４の上部が下方に変形した場合に第一係合部６の第一リブ１４が外れようとしても第二係合部７の第二リブ２０と溝部１９で変位を制限するため、離脱を阻止できる。
なお、上述した実施形態では表示装置１の筐体Ｋ，Ｋ１であるベゼル３とリアカバー４の係合構造について説明したが、本発明は表示パネル２を備えた表示装置１に限定されることなく各種の装置や機器の筐体のベゼル３等の枠体とリアカバー４等のカバー部材との係合構造について適用できる。
【符号の説明】
【００３６】
１  表示装置
２  表示パネル
３  ベゼル
３ａ  受け部
４  リアカバー
６  第一係合部
７  第二係合部
８  ハンドル
９  第一係合孔
１０  爪部
１１  第一突起部
１４  第一リブ
１５  係合穴
１７  第二突起部
１９  溝部
２０  第二リブ
Ｋ、Ｋ１  筐体
【図１】
2018116949.tif 000003
【図２】
2018116949.tif 000004
【図３】
2018116949.tif 000005
【図４】
2018116949.tif 000006
【図５】
2018116949.tif 000007
【図６】
2018116949.tif 000008
【図７】
2018116949.tif 000009
【図８】
2018116949.tif 000010
【図９】
2018116949.tif 000011
【図１０】
2018116949.tif 000012
【図１１】
2018116949.tif 000013
【図１２】
2018116949.tif 000014
【図１３】
2018116949.tif 000015